(57)【要約】【課題】既に画像が形成された記録媒体に対して文字情報を追加して形成する画像形成装置において、より簡単な作業で文字情報の追加を可能にする。【解決手段】所定の文字情報の入力を受け付ける文字情報入力受付部１５を画像形成部１２と画像形成制御部１３とに一体的に設け、文字情報入力受付部１５により受け付けられた文字情報に基づいて、記録媒体の予め設定された所定の位置に文字画像を形成する。【選択図】図１
2010191040.tif 000002
【特許請求の範囲】
【請求項１】
入力された画像情報に基づいて記録媒体に画像を形成する画像形成部と、該画像形成部を制御する画像形成制御部とを備えた画像形成装置において、
前記画像形成部と前記画像形成制御部とに一体的に設けられた、所定の文字情報の入力を受け付ける文字情報入力受付部をさらに備え、
前記画像形成制御部が、前記文字情報入力受付部により受け付けられた文字情報に基づいて、前記記録媒体の予め設定された所定の位置に文字画像を形成するよう前記画像形成部を制御するものであることを特徴とする画像形成装置。
【請求項２】
複数枚の前記記録媒体のうちの所望の頁の選択を受け付ける頁選択受付部をさらに備え、
前記画像形成制御部が、前記複数枚の記録媒体のうちの前記頁選択受付部によって受け付けられた頁の記録媒体に対してのみ前記文字画像が形成されるよう前記画像形成部を制御するものであることを特徴とする請求項１記載の画像形成装置。
【請求項３】
前記文字情報入力受付部が、前記頁選択受付部により選択された頁毎に互いに異なる文字情報を受け付けるものであり、
前記画像形成制御部が、前記頁選択受付部により選択された頁毎に互いに異なる文字画像が形成されるよう前記画像形成部を制御するものであることを特徴とする請求項２記載の画像形成装置。
【請求項４】
前記文字画像を形成する所定の位置が複数箇所予め設定されており、
前記複数箇所のうちの少なくとも一箇所の指定を受け付ける追加箇所受付部をさらに備えたことを特徴とする請求項１から３いずれか１項記載の画像形成装置。
【請求項５】
前記文字情報入力受付部が、前記予め設定された箇所毎に互いに異なる文字情報を受け付けるものであることを特徴とする請求項４記載の画像形成装置。
【請求項６】
前記文字画像の色の指定を受け付ける色指定部をさらに備え、
前記画像形成制御部が、前記色指定部により指定された色で前記文字画像が形成されるように前記画像形成部を制御するものであることを特徴とする請求項１から５いずれか１項記載の画像形成装置。
【発明の詳細な説明】
【技術分野】
【０００１】
本発明は、入力された画像情報に基づいて画像を形成する画像形成装置に関するものであって、特に、既に画像が形成された記録媒体に対して文字情報を追加して形成する画像形成装置に関するものである。
【背景技術】
【０００２】
従来、パソコンやスキャナなどから出力された画像データに基づいて、記録用紙に画像を形成するインクジェットプリンタや孔版印刷装置などの画像形成装置が種々提案されている。
【０００３】
ここで、上記のような画像形成装置を用いて所定の画像を記録用紙に一旦印刷した後、その画像が印刷された記録用紙にさらに所定の文章などを追加したい場合などがある。このような場合、特に同じ印刷物が大量に必要な場合には、再度、文章を追加した画像データを作成して印刷し直したのでは、最初に画像だけ印刷した記録用紙が無駄になってしまう。
【０００４】
そこで、既に画像が印刷された印刷済みの記録用紙を用い、その印刷済記録用紙にさらに文章を重ねて印刷する方法が考えられる。
【先行技術文献】
【特許文献】
【０００５】
【特許文献１】特開２０００−２９６５５号公報
【発明の概要】
【発明が解決しようとする課題】
【０００６】
しかしながら、従来の画像形成装置では、上記のように文章を重ね書きする場合、その追加した文章を表す画像データをパソコンなどで作成し、その画像データをパソコンから画像形成装置に送信する必要がある。したがって、たとえ簡単な文章であってもわざわざパソコンで編集作業をしたり、画像データを送信したりする必要があり、手間と時間がかかっていた。
【０００７】
また、スキャナを用いて文章を追加する場合には、追加する文章が印刷された原稿を１枚作成し、その原稿をスキャナにより読み取って追加文章を表す画像データを生成する必要があり、やはり手間と時間がかかっていた。
【０００８】
また、たとえば、特許文献１には、上記のように文章などを追加する場合、既に記録用紙に印刷されている画像に文章を追加した画像データを作成した後、その画像データから既に記録用紙に印刷されている画像のみを表す画像データを差し引くことによって文章のみの画像データを作成し、その文章のみの画像データを用いて文章の追加を行う方法が提案されている。
【０００９】
しかしながら、特許文献１に記載の方法でも、上記のようにパソコンなどにおいて既に記録用紙に印刷されている画像に文章を追加した画像データを作成し、その画像データに基づいて文章のみの画像データを作成して画像形成装置に送信する必要があり、手間と時間を要していた。
【００１０】
本発明は、上記の事情に鑑み、新たに画像データを作成したり、原稿を作成してスキャナで読み込んだりする手間と時間をかけることなく、より簡単に印刷済記録用紙に対して文章などを追加することができる画像形成装置を提供することを目的とする。
【課題を解決するための手段】
【００１１】
本発明の画像形成装置は、入力された画像情報に基づいて記録媒体に画像を形成する画像形成部と、画像形成部を制御する画像形成制御部とを備えた画像形成装置において、画像形成部と画像形成制御部とに一体的に設けられた、所定の文字情報の入力を受け付ける文字情報入力受付部をさらに備え、画像形成制御部が、文字情報入力受付部により受け付けられた文字情報に基づいて、記録媒体の予め設定された所定の位置に文字画像を形成するよう画像形成部を制御するものであることを特徴とする。
【００１２】
また、上記本発明の画像形成装置においては、複数枚の記録媒体のうちの所望の頁の選択を受け付ける頁選択受付部をさらに設け、画像形成制御部を、複数枚の記録媒体のうちの頁選択受付部によって受け付けられた頁の記録媒体に対してのみ文字画像が形成されるよう画像形成部を制御するものとすることができる。
【００１３】
また、文字情報入力受付部を、頁選択受付部により選択された頁毎に互いに異なる文字情報を受け付けるものとし、画像形成制御部を、頁選択受付部により選択された頁毎に互いに異なる文字画像が形成されるよう画像形成部を制御するものとすることができる。
【００１４】
また、文字画像を形成する所定の位置を複数箇所予め設定し、その複数箇所のうちの少なくとも一箇所の指定を受け付ける追加箇所受付部をさらに設けることができる。
【００１５】
また、文字情報入力受付部を、予め設定された箇所毎に互いに異なる文字情報を受け付けるものとすることができる。
【００１６】
また、文字画像の色の指定を受け付ける色指定部をさらに設け、画像形成制御部を、色指定部により指定された色で文字画像が形成されるように画像形成部を制御するものとすることができる。
【発明の効果】
【００１７】
本発明の画像形成装置によれば、所定の文字情報の入力を受け付ける文字情報入力受付部を一体的に設け、その文字情報入力受付部により受け付けられた文字情報に基づいて、記録媒体の予め設定された所定の位置に文字画像を形成するようにしたので、新たに画像データを作成したり、原稿を作成してスキャナで読み込んだりする手間と時間をかけることなく、操作者が文字情報入力受付部を用いて文字情報を入力するだけで、より簡単に記録媒体に対して文章などを追加することができる。
【００１８】
また、上記本発明の画像形成装置において、複数枚の記録媒体のうちの所望の頁の選択を受け付ける頁選択受付部をさらに設け、その頁選択受付部によって受け付けられた頁の記録媒体に対してのみ文字画像を形成するようにした場合には、たとえば、複数頁からなる１部の記録媒体に対し、特定の頁のみ文字画像を形成したい場合においても、その特定の頁を選択するだけで簡易に特定頁に文字画像を形成することができる。
【００１９】
また、頁選択受付部により選択された頁毎に互いに異なる文字情報を受け付け、その頁毎に互いに異なる文字画像を形成するようにした場合には、種々の用途に応じたより適切な文字画像を各頁に形成することができる。
【００２０】
また、所望の頁の選択を行うための選択画像を表示するようにした場合には、操作者が頁の選択をより簡易に行うことができる。
【００２１】
また、選択された頁をリスト表示するようにした場合には、操作者がどの頁を選択したのか即座に把握することができる。
【００２２】
また、文字画像を形成する所定の位置を複数箇所予め設定し、その複数箇所のうちの少なくとも一箇所の指定を受け付けるようにした場合には、用途に応じて適切な箇所を選択しても文字画像を形成することができる。
【００２３】
また、予め設定された箇所毎に互いに異なる文字情報を受け付けるようにしたり、文字画像の色の指定を受け付けようにしたりした場合には、よりバリエーションに富んだ文字画像を形成することができる。
【００２４】
また、文字情報を入力するための入力画像を表示するようにした場合には、操作者が任意の文章を作成して文字画像として形成することができる。
【図面の簡単な説明】
【００２５】
【図１】本発明の画像形成装置の一実施形態を用いたインクジェットプリンタの概略構成を示す図
【図２】画像形成制御部と入力受付部とのより詳細な構成を示す図
【図３】機能一覧を示す画面の一例
【図４】ひとこと追加詳細設定画面の一例
【図５】ページ指定詳細設定画面の一例
【図６】文字情報入力画面の一例
【図７】本発明の画像形成装置の一実施形態を用いたインクジェットプリンタの作用を説明するためのフローチャート
【図８】ページ指定の作用を説明するためのフローチャート
【図９】ページ指定の詳細設定の作用を説明するためのフローチャート
【図１０】文字画像を形成する前の記録用紙の一例を示す図
【図１１】図１０に示す記録用紙に文字画像をヘッダーとフッターに追加した記録用紙の一例を示す図
【図１２】ひとこと追加詳細設定画面のその他の例を示す図
【発明を実施するための形態】
【００２６】
以下、図面を参照して本発明の画像形成装置の一実施形態を用いたインクジェットプリンタについて詳細に説明する。図１は、本実施形態のインクジェットプリンタの概略構成図である。
【００２７】
本実施形態のインクジェットプリンタ１０は、図１に示すように、記録用紙Ｐ０が設置される給紙部１１と、給紙部１１に設置された記録用紙Ｐ０が搬送され、その搬送された記録用紙Ｐ０に対しパソコンやスキャナなどから出力された画像データに基づいて画像を形成する画像形成部１２と、画像形成部１２を制御する画像形成制御部１３と、画像形成部１２において画像が形成された記録用紙Ｐ１が排紙される排紙部１４と、操作者による所定の操作の入力を受け付ける入力受付部１５とを備えている。
【００２８】
給紙部１１には、通常は、パソコンやスキャナなどから出力された画像データに基づく画像が形成される、たとえば白紙の記録用紙Ｐ０が設置されるが、後述するひとこと追加機能によって文字情報を記録する場合には、既に所定の画像が記録されている記録用紙Ｐ０が設置される。
【００２９】
画像形成部１２は、たとえば、Ｙ成分、Ｍ成分、Ｃ成分およびＫ成分のインクをそれぞれ吐出する複数のインクジェットヘッドと給紙部１１から給紙された記録用紙Ｐ０を搬送する搬送部などを備えたものであるが、これらの構成はすでに公知なものであるので詳細な説明は省略する。
【００３０】
また、画像形成部１２は、上述したとおり画像形成制御部１３により制御され、通常は、パソコンやスキャナなどから出力された画像データに基づく画像を記録用紙Ｐ０に形成するものであるが、後述するひとこと追加機能が選択された場合には、記録用紙Ｐ０の予め設定された所定の位置に入力受付部１５によって入力された文字情報を記録するものである。なお、本実施形態においては、文字情報を記録する位置として、記録用紙Ｐ０のヘッダーの位置とフッターの位置とが予め設定されている。
【００３１】
画像形成制御部１３は、通常は、パソコンやスキャナなどから出力された画像データに基づく画像が記録用紙Ｐ０に形成され、後述するひとこと追加機能が選択された場合には、予め設定された所定の位置に入力受付部１５によって入力された文字情報が記録されるように画像形成部１２を制御するものである。
【００３２】
図２は、画像形成制御部１３と入力受付部１５とのより詳細な構成を示す図である。なお、図２は、後述するひとこと追加機能を実施するために用いられる構成について特に示している。
【００３３】
入力受付部１５は、図２に示すように、所定の操作画面を表示するとともに、操作者による入力を受け付けるタッチパネルからなる入力パネル部３０と、入力パネル部３０に所定の操作画面を表示させるよう制御する入力制御部３１とを備えている。そして、入力制御部３１は、後述するひとこと追加機能が選択された場合に、入力パネル部３０に文字情報の追加箇所を指定するための画面を表示させるとともに、追加箇所が指定された場合にはその画面情報を出力する追加箇所指定処理部３２と、入力パネル部３０に文字情報の色を指定するための画面を表示させるとともに、色が指定された場合にはその画面情報を出力する色指定処理部３３と、入力パネル部３０に文字情報を記録するページを指定するための画面を表示させるとともに、そのページが指定された場合にはそのページ情報を出力するページ指定処理部３４と、入力パネル部３０に文字情報を入力するための画面を表示させるとともに、文字情報が入力された場合にはその文字情報を出力する文字入力処理部３５とを備えている。
【００３４】
画像形成制御部１３は、図２に示すように、入力制御部３１から出力された情報を解析し、その結果を文字出力情報として出力する文字出力制御部４０と、文字出力制御部４０から出力された文字出力情報に基づいて、画像形成部１２を制御するための制御信号を出力する印刷制御部５０とを備えている。
【００３５】
そして、文字出力制御部４０は、追加箇所指定処理部３２から出力された画面情報に基づいて追加箇所を指定するマークを読み取る追加箇所付加マーク読取部４１と、色指定処理部３３から出力された画面情報に基づいて色を指定するマークを読み取る色指定付加マーク読取部４２と、ページ指定処理部３４から出力されたページ情報を読み取るページ読取処理部４３と、文字入力処理部３５から出力された文字情報を読み取る文字読取処理部４４とを備えている。
【００３６】
また、印刷制御部５０は、文字出力制御部４０から出力された文字出力情報に基づいて、記録用紙Ｐ０上の指定された追加箇所に文字情報を記録するための制御信号を出力する文字付加処理部５１を備えている。
【００３７】
なお、入力受付部１５と画像形成制御部１３の動作はＣＰＵ６０によって制御され、バス６１を介して所定の制御信号や出力情報のやり取りが行われる。
【００３８】
次に、本実施形態のインクジェットプリンタの作用について、図３から図６に示す表示画面の例と図７から図９に示すフローチャートとを参照しながら説明する。なお、以下の説明では、本実施形態のインクジェットプリンタの特徴であるひとこと追加機能を中心に説明する。ひとこと追加機能とは、既に画像が形成された記録用紙に対しさらに所望の文字情報を追加して形成する機能である。
【００３９】
まず、既に画像が形成された記録用紙Ｐ０が給紙部１１に設置される。本実施形態では、図１０に示すような記録用紙が複数枚設置されるものとする。そして、このとき入力パネル部３０には、図３に示すような機能一覧を示す画面が表示されている。
【００４０】
そして、ここでひとこと追加機能を実施する場合には、操作者により図３に示す画面の「ひとこと追加」の部分が押され、「ひとこと追加」が指定されたことを示す情報が画像形成制御部１３に入力設定され、画像形成制御部１３はひとこと追加機能を実施するための種々の制御信号を出力する（図７のＳ１０、ＹＥＳ）。
【００４１】
具体的には、まず、画像形成制御部１３から出力された制御信号は、入力受付部１５に入力の入力制御部３１に入力され、入力制御部３１によって、図４に示すような、ひとこと追加の詳細設定を指定するための画面が表示される。より具体的には、追加箇所指定処理部３２によって文字情報の追加箇所を指定するための画面が表示され、色指定処理部３３によって文字情報の色を指定するための画面が表示され、ページ指定処理部３４によって文字情報を記録するページを指定するための画面が表示される。
【００４２】
そして、図４に示す追加箇所指定画面のチェック欄のうちのいずれかが操作者によりチェックされて指定される。すなわち、文字情報を追加する箇所がヘッダーのみなのか、フッターのみなのか、もしくはヘッダーとフッターの両方なのかが指定される。そして、さらに図４に示す色指定画面のチェック欄のうちのいずれかが操作者によりチェックされて指定される。すなわち、ヘッダーおよび/またはフッターに形成される文字情報の色（本実施形態の場合、黒、赤または青）が指定される。
【００４３】
そして、図４に示すページ指定画面のチェック欄のうちのいずれかが操作者によりチェックされて指定される。すなわち、複数ページからなる１部の記録用紙のうち、文字情報を形成するページを指定するか否かが指定される。なお、ここではページ指定を「しない」が操作者によりチェックされたものとして説明を進める。ページ指定を「する」が操作者によりチェックされた場合の作用についてはその後で説明する。
【００４４】
そして、図４に示す追加箇所指定画面、色指定画面およびページ指定画像面のチェック欄が全てチェックされた後、操作者により確定ボタンが押される。
【００４５】
そして、追加箇所指定画面において「ヘッダー」のチェック欄が指定された場合には（図７のＳ１２、ＹＥＳ）、文字入力処理部３５によって、図６に示すような文字情報入力画面が表示される。そして、文字情報入力画面における文字キーが操作者により押されることによって、記録用紙Ｐ０のヘッダーの位置に追加したい文字情報が入力され、このとき操作者により入力された文字情報は文字情報入力画面内に表示される。ここでは、文字情報として「この書類は、打ち合わせ終了後回収します。ご承知おきください」が入力されたものとする。そして、文字情報の入力が終了すると、文字情報入力画面内の確定ボタンが操作者により押され、入力された文字情報が設定される（図７のＳ１４）。
【００４６】
そして、図６に示す文字情報入力画面の確定ボタンが押されると、文字情報入力画面は閉じられ、再び図４に示す詳細設定画面が表示され、次に、詳細設定画面の確定ボタンが押されると詳細設定画面も閉じられる。
【００４７】
そして、上記のようにして、ひとこと追加の詳細設定が終了すると、画像形成制御部１３の文字出力制御部４０は、操作者により設定された内容に応じた出力情報を出力する。具体的には、追加箇所付加マーク読取部４１においては、追加箇所指定画面でチェックされた追加箇所を指定するマークが読み取られて追加箇所情報が出力される。また、色指定付加マーク読取部４２においては、色指定画面情報でチェックされた色を指定するマークが読み取られ、色情報が出力される。また、文字読取処理部４４においては、文字情報入力画面で入力された文字情報が認識され、その文字情報に基づく文字出力情報が出力される。
【００４８】
そして、文字出力制御部４０から出力された追加箇所指定情報、色情報および文字出力情報は、印刷制御部５０に入力され、これらの情報に基づいて文字付加処理部５１において、記録用紙Ｐ０上の指定された追加箇所に文字情報を記録するための制御信号が生成され、画像形成部１２に出力される。
【００４９】
そして、入力パネル部３０に表示されたプリントボタンが押されることによって記録用紙Ｐ０への文字情報の形成が開始される（図７のＳ２８）。具体的には、給紙部１１から記録用紙Ｐ０が繰り出されて、画像形成部１２の搬送部に供給される。そして、画像形成部１２において、画像形成制御部１３の印刷制御部５０から出力された制御信号に基づいてインクジェットヘッドなどが制御され、記録用紙Ｐ０上の指定された追加箇所に文字情報が記録される。
【００５０】
そして、文字情報が追加記録された記録用紙Ｐ１が画像形成部１２から排出され、排紙部１４に積載される。
【００５１】
また、追加箇所指定画面において「フッター」のチェック欄が指定された場合には（図７のＳ１６、ＹＥＳ）、文字入力処理部３５によって文字情報入力画面が表示されるが、その画面としては、図６に示す画面の[ヘッダー]の部分が[フッター]に変更されて表示される。そして、上記と同様に、文字情報入力画面における文字キーが操作者により押されることによって、記録用紙Ｐ０のフッターの位置に追加したい文字情報が入力される。このとき操作者により入力された文字情報は文字情報入力画面内に表示される。そして、文字情報の入力が終了すると、文字情報入力画面内の確定ボタンが操作者により押され、入力された文字情報が設定される（図７のＳ１８）。
【００５２】
そして、図６に示す文字情報入力画面の確定ボタンが押されると、文字情報入力画面は閉じられ、再び図４に示す詳細設定画面が表示され、次に、詳細設定画面の確定ボタンが押されると詳細設定画面も閉じられる。
【００５３】
そして、その後、上述した「ヘッダー」が指定された場合と同様に、操作者によりプリントボタンが押された後、プリントが実施され（図７のＳ２８）、記録用紙Ｐ０上の指定された追加箇所に文字情報が記録される。
【００５４】
そして、文字情報が追加記録された記録用紙Ｐ１が画像形成部１２から排出され、排紙部１４に積載される。
【００５５】
また、追加箇所指定画面において「両方」のチェック欄が指定された場合には（図７のＳ２０、ＹＥＳ）、文字入力処理部３５によって文字情報入力画面が表示されるが、その画面としては、まず、図６に示す画面が表示される。そして、上記と同様に、文字情報入力画面における文字キーが操作者により押されることによって、記録用紙Ｐ０のヘッダーの位置に追加したい文字情報が入力される。このとき操作者により入力された文字情報は文字情報入力画面内に表示される。そして、文字情報の入力が終了すると、文字情報入力画面内の確定ボタンが操作者により押され、入力された文字情報が設定される（図７のＳ２２）。また、確定ボタンが押されることによって、図６に示す文字情報入力画面の[ヘッダー]が[フッター]に変更されて表示され、文字情報入力画面内に表示されたヘッダー用の文字情報がリセットされる。そして、上記と同様に、文字情報入力画面における文字キーが操作者により押されることによって、記録用紙Ｐ０のフッターの位置に追加したい文字情報が入力される。このとき操作者により入力された文字情報は文字情報入力画面内に表示される。そして、文字情報の入力が終了すると、文字情報入力画面内の確定ボタンが操作者により押され、入力された文字情報が設定される（図７のＳ２４）。
【００５６】
そして、その後、上述した「ヘッダー」または「フッター」が指定された場合と同様に、操作者によりプリントボタンが押された後、プリントが実施され（図７のＳ２８）、記録用紙Ｐ０上の指定された追加箇所に文字情報が記録される。
【００５７】
そして、文字情報が追加記録された記録用紙Ｐ１が画像形成部１２から排出され、排紙部１４に積載される。
【００５８】
次に、図４に示すページ指定画面のチェック欄のうちのページ指定を「する」が操作者によりチェックされた場合の作用について説明する。
【００５９】
ページ指定画面のページ指定を「する」がチェックされた場合には、文字情報入力画面において文字情報が入力され、文字情報入力画面において確定ボタンが押された後、ページ指定の設定が行われる（図７のＳ２６）
ここで、図７のＳ２６における作用の詳細を図８のフローチャートに、図８におけるＳ３２における作用の詳細を図９のフローチャートに示す。
【００６０】
そして、図８のフローチャートに示すように、ページ指定画面のページ指定を「する」がチェックされた場合には（Ｓ３０、ＹＥＳ）、文字情報入力画面において確定ボタンが押されたとき、文字情報入力画面が閉じられるとともに、図５に示すようなページ指定詳細設定画面が、詳細設定画面の上に重ねて表示される。そして、このページ指定詳細設定画面においてページ指定の詳細設定が行われる（Ｓ３２）。
【００６１】
具体的には、図５に示すページ指定詳細設定画面において、操作者により給紙部１１に設置された記録用紙Ｐ０の部数と、その１部のページ数と、文字情報を記録したいページとか指定される（図９のＳ４０、Ｓ４２、Ｓ４４）。それぞれコンボボックスの中に表示された数値を選択することによって指定される。
【００６２】
そして、挿入ページが指定された後、ページ確定ボタンが操作者により押されると（Ｓ４６のＹＥＳ）、そのページがページ指定詳細設定画面内にリスト表示される（Ｓ４８）。そして、次にさらに文字情報を追加記録したいページが他にある場合には、操作者により再び挿入ページが指定される（Ｓ４４）。そして、挿入ページがされに指定された後、ページ確定ボタンが操作者により押されると（Ｓ４６のＹＥＳ）、そのページがページ指定詳細設定画面内にリストに追加されて表示される（Ｓ４８）。Ｓ４４からＳ５０が繰り返して行われて文字情報を追加記録したい全てのページがリスト表示される。なお、一旦リスト表示したページの中で、文字情報を追加記録する対象ページから外したいページがある場合には、そのページを選択し（図５に示す斜線部分）、削除ボタンを押すことによってそのページを削除することができる。
【００６３】
そして、全ての挿入ページが確定した場合には、ページ指定詳細設定画面の確定ボタンが操作者に押される（Ｓ５２、ＹＥＳ）。そして、ページ指定詳細設定画面が閉じられ、ひとこと追加詳細設定画面に戻る（図８のＳ３４）。
【００６４】
そして、上述したようにひとこと追加詳細設定画面の確定ボタンが操作者により押されることによって文字情報を記録するプリントが実行されるが、このときページ指定詳細設定画面で指定した挿入ページだけに文字情報が記録される。複数部数の記録用紙Ｐ０が設置されている場合には、その部毎に挿入ページだけに文字情報が記録される。
【００６５】
図１０は、文字情報を追加する前の記録用紙Ｐ０の一例を示したものである。そして、図１１は、上記のような作用によってヘッダーＨとフッターＦの両方に文字情報を追加記録した記録用紙Ｐ１の一例を示すものである。
【００６６】
また、上記説明では、ページ指定詳細設定画面において指定された複数の挿入ページの全てに同じ文字情報を記録する場合について説明したが、ページ指定詳細設定画面において複数の挿入ページが指定された場合には、その挿入ページ毎に互いに異なる文字情報を記録するようにしてもよい。
【００６７】
その場合には、たとえば、ひとこと追加詳細設定画面において追加箇所と色とページ指定「する」が指定された後、文字情報入力画面を表示する前に、ページ指定詳細設定画面を表示させ、そのページ指定詳細設定画面のページ確定ボタンが操作者により押されたときに、文字情報入力画面を表示させ、その確定したページに記録する文字情報を操作者により入力するようにすればよい。そして、文字情報の入力が終了し、文字情報入力画面において確定ボタンが押されたときには、再びページ指定詳細画面に戻り、ページ確定ボタンが押される毎に、その確定したページに記録する文字情報を文字情報入力画面において入力し設定することによって、挿入ページ毎に互いに異なる文字情報を設定することができる。
【００６８】
なお、上記実施形態は、本発明の画像形成装置の一実施形態をインクジェットプリンタに適用した場合について説明したが、本発明の画像形成装置はインクジェットプリンタに限らず、たとえば、孔版印刷装置などその他の印刷装置にも適用可能である。
【００６９】
たとえば２ドラム式の孔版印刷装置に本発明の画像形成装置を適用した場合には、ひとこと追加詳細設定画面としては、たとえば、図１２に示すような画面を表示するようにすればよい。すなわち、ページ指定は必要ないので、ページ指定画面を表示することなく、色指定の画面としては、２つのドラムのうちのいずれかのドラムを指定する画面を表示するようにすればよい。そして、文字情報を記録する際には、操作者により指定されたドラムによって文字情報を記録するようにすればよい。
【符号の説明】
【００７０】
１０   インクジェットプリンタ
１１   給紙部
１２   画像形成部
１３   画像形成制御部
１４   排紙部
１５   入力受付部
３０   入力パネル部
３１   入力制御部
４０   文字出力制御部
５０   印刷制御部
５１   文字付加処理部
【図１】
2010191040.tif 000003
【図２】
2010191040.tif 000004
【図３】
2010191040.tif 000005
【図４】
2010191040.tif 000006
【図５】
2010191040.tif 000007
【図６】
2010191040.tif 000008
【図７】
2010191040.tif 000009
【図８】
2010191040.tif 000010
【図９】
2010191040.tif 000011
【図１０】
2010191040.tif 000012
【図１１】
2010191040.tif 000013
【図１２】
2010191040.tif 000014